(57)【要約】【課題】測定時の外光の遮蔽を確実に行い、かつ測定時に指にかかる荷重を一定に保つことによって脈波の振幅測定を精度良く行うことができる脈波計測装置を提供する。【解決手段】ＬＥＤと脈波センサとを配置した装置本体２と、装置本体２に開閉可能に支持される蓋部４とを備え、これら装置本体２と蓋部４とで被測定者の指先Ｓ１を挿入可能な指挿入部６０を構成し、装置本体２と蓋部４とを囲繞して蓋部４の閉状態を維持する伸縮自在なベルト５とを有し、ベルト５は、装置本体２と蓋部４とを少なくとも２重巻きにして固定されている。【選択図】図９
2009131483.tif 000002
【特許請求の範囲】
【請求項１】
発光素子と受光素子とを配置した装置本体と、
前記装置本体に開閉可能に支持される蓋部とを備え、
これら装置本体と蓋部とで被測定者の指先を挿入可能な指挿入部を構成し、
前記装置本体と前記蓋部とを囲繞して蓋部の閉状態を維持する伸縮自在なベルトとを有し、
前記ベルトは、前記装置本体と前記蓋部とを少なくとも２重巻きにして固定されていることを特徴とする脈波計測装置。
【請求項２】
前記ベルトの長さは、前記装置本体に指先を挿入して前記蓋部を開いた状態で前記装置本体と指先に１回巻き付け、前記装置本体に指先を挿入して前記蓋部を閉じた状態で前記装置本体と前記蓋部に１回巻き付け可能な長さに設定されていることを特徴とする請求項１に記載の脈波計測装置。
【請求項３】
前記装置本体の側面に前記ベルトの一端が取り付けられていることを特徴とする請求項１または請求項２に記載の脈波計測装置。
【発明の詳細な説明】
【技術分野】
【０００１】
この発明は、指先の挿入により脈波を計測する脈波計測装置に関するものである。
【背景技術】
【０００２】
手の指先で脈波を計測する装置としては、例えば特許文献１に開示されているように、バネ付勢された一対のクリップ片からなる測定部を備えるものが知られている。この測定部は、一方のクリップ片に発光部が設けられ、他方のクリップ片に受光部が設けられている。指先を一対のクリップ片で挟んでから発光部を発光させると、指先を透過した光が受光部に取り込まれる。受光部には、受光した光の強度に応じて電流を発生させる素子が用いられている。受光部から出力されるアナログ信号をデジタル信号に変換してデータ処理すると、脈波の情報が得られる。
また、特許文献２に開示されているように、測定部を伸縮性のある遮光された布によって人差し指の根元から指関節までの間に装着するようにしたものもある。
【特許文献１】特開２００７−２０８３６号公報
【特許文献２】特許第３８０３３５１号公報
【発明の開示】
【発明が解決しようとする課題】
【０００３】
しかしながら、従来の測定部では、外光が受光部に入射し易かった。外光による信号が脈波の信号に重畳されると測定精度を低下させるので好ましくない。
また、脈波から被測定者のストレス状態を判定する場合などには、脈波の振幅を適正に測定する必要がある。この場合、被測定者の指先に略一定の荷重をかけて脈波測定を行う必要があるが、従来の測定部では被測定者の個体差によってクリップが指先を挟む荷重が変化したり、遮光している布の伸縮性が調節できないため荷重が変化したりするので、計測条件が安定せず、計測精度の向上が難しかった。
【０００４】
そこで、この発明は、上述した事情に鑑みてなされたものであって、測定時の外光の遮蔽を確実に行い、かつ測定時に指にかかる荷重を一定に保つことによって脈波の振幅測定を精度良く行うことができる脈波計測装置を提供するものである。
【課題を解決するための手段】
【０００５】
上記の課題を解決するために、請求項１に記載した発明は、発光素子と受光素子とを配置した装置本体と、前記装置本体に開閉可能に支持される蓋部とを備え、これら装置本体と蓋部とで被測定者の指先を挿入可能な指挿入部を構成し、前記装置本体と前記蓋部とを囲繞して蓋部の閉状態を維持する伸縮自在なベルトとを有し、前記ベルトは、前記装置本体と前記蓋部とを少なくとも２重巻きにして固定されていることを特徴とする。
この場合、請求項２に記載した発明のように、前記ベルトの長さは、前記装置本体に指先を挿入して前記蓋部を開いた状態で前記装置本体と指先に１回巻き付け、前記装置本体に指先を挿入して前記蓋部を閉じた状態で前記装置本体と前記蓋部に１回巻き付け可能な長さに設定されてもよい。
このように、伸縮自在なベルトを２重巻きにして指先に脈波計測装置を固定することで、ベルトを伸ばす長さに応じて細かい圧力調整が可能になる。
また、装置本体に指先を挿入して蓋部を開いた状態で装置本体と指先をベルトで１回巻き付けることで、外光の遮蔽を確実に行いつつ指先を固定することが可能になる。
さらに、装置本体に蓋部が開閉可能に支持されているので、脈波計測装置の内部を、例えば、アルコールを含ませた布等で容易に消毒することができる。
【０００６】
請求項３に記載した発明は、前記装置本体の側面に前記ベルトの一端が取り付けられていることを特徴とする。
このように、ベルトの一端が装置本体の側面に取り付けられることで、ベルトを引っ張りながら伸ばして巻き付けることが容易にできる。
【発明の効果】
【０００７】
請求項１、および請求項２に記載した発明によれば、伸縮自在なベルトを２重巻きにして指先に脈波計測装置を固定することで、ベルトを伸ばす長さに応じて細かい圧力調整が可能になる。このため、被測定者の個体差に関わらず指先に適切な荷重をかけることができ、脈波の振幅測定を精度良く行うことができる。
また、装置本体に指先を挿入して蓋部を開いた状態で装置本体と指先をベルトで１回巻き付けることで、外光の遮蔽を確実に行いつつ指先を固定することが可能になる。このため、外光が射し込むことによる測定精度の低下を防止し、脈波の振幅測定をより精度良く行うことができる。
さらに、装置本体に蓋部が開閉可能に支持されているので、脈波計測装置の内部を、例えば、アルコールを含ませた布等で容易に消毒することができる。このため、脈波計測装置の発光素子や受光素子が配置されている部位を容易に清潔に保つことができ、安定した測定結果を得ることが可能になる。
【０００８】
請求項３に記載した発明によれば、ベルトの一端が装置本体の側面に取り付けられることで、ベルトを引っ張りながら伸ばして巻き付けることが容易にできるため、簡単に脈波の振幅測定を行うことができる。
【発明を実施するための最良の形態】
【０００９】
次に、この発明の実施形態を図面に基づいて説明する。
図１、図２に示すように、脈波計測装置１は、被測定者Ｓの人差し指などの特定の指先Ｓ１の脈波を計測するためのものであって、装置本体２と、装置本体２の先端側にヒンジ部３で接続され開閉可能に支持された蓋部４とで指挿入部６０を構成し、これら装置本体２と蓋部４とを囲繞して蓋部４の閉状態を維持するベルト５を有している。
脈波計測装置１は、有線で解析装置、例えば、汎用のパーソナルコンピュータ（以下、「パソコン」という）５０に接続されるようになっている。
【００１０】
装置本体２には、センサ基板４１と信号処理基板４２とが内蔵されている。センサ基板４１には、発光素子であるＬＥＤ（発光ダイオード）１５と、受光素子である脈波センサ１６と、温度センサ１７が搭載されている。
一方、信号処理基板４２は、ＬＥＤ１５に接続されて脈波センサ１６と共に脈波検出回路４３を構成するＬＥＤ光量調整回路４４と、温度センサ１７に接続されて温度検出回路４５を構成する温度センサ信号増幅回路４６とを備えている。
【００１１】
さらに、信号処理基板４２は、各回路４３，４５、および脈波センサ１６が接続され、ＣＰＵ（中央演算装置）やメモリなどを備えるマイコン４７と、マイコン４７とパソコン５０との間でデータ通信を行わせるＵＳＢ（Ｕｎｉｖｅｒｓａｌ  Ｓｅｒｉａｌ  Ｂｕｓ）通信回路４８と、ＵＳＢ接続されるパソコン５０を通して不図示の外部電源に接続され、マイコン４７および回路素子に電力を安定して供給するレギュレータである電源回路４９とを備えている。
【００１２】
図３に、脈波検出回路４３を形成するＬＥＤ１５、脈波センサ１６、ＬＥＤ光量調整回路４４の構成を示す。ＬＥＤ１５は、基本波長が６５０ｎｍ付近の赤色発光するものが使用されている。赤色の光は、人体に入り易い波長であるため、明確な脈波信号が採取できる。さらに、赤色の光は、目に見えることから、点灯しないときの故障判別が容易である。なお、図３には２つのＬＥＤ光量調整回路４４が並列に接続されているが、並列の数及び配列はこれに限定されない。
【００１３】
ＬＥＤ光量調整回路４４は、ＬＥＤ１５の高電位側の端子に接続されるトランジスタＴ１のゲートにマイコン４７からのＯＮ／ＯＦＦ信号が入力されるように構成されると共に、一対のＬＥＤ１５の低電位側の端子にオペアンプＯＰ１とトランジスタＴ２を接続した定電流回路５１が設けられている。この定電流回路５１は、オペアンプＯＰ１のマイナス端子に、マイコン４７からのＰＷＭ（パルス幅変調）信号をＤＣ電圧に変換した信号が入力されるようになっており、定電流指令値（ＰＷＭ信号のデューティ）を任意に可変することで、ＬＥＤ１５に流れる電流を制御できる。なお、定電流回路５１とＧＮＤの間には、シャント抵抗５２が挿入されている。シャント抵抗５２を流れる電流を計測すれば基本電流値を決定したり、電流値のフィードバックをしたりできるようになる。このようなＬＥＤ光量調整回路４４では、条件に応じて光の照射量を可変できるので、最適な感度の脈波が得られる。
【００１４】
脈波センサ１６は、ＬＥＤ１５で発光され、指先Ｓ１を通った後の光を受光し、方形波パルス信号を発生させるもので、反射光の明るさに応じて方形波パルス信号の周波数が変化するＬＦＣ（Ｌｉｇｈｔ  ｔｏ  ｆｒｅｑｕｅｎｃｙ  ｃｏｎｖｅｒｔｅｒ）が用いられている。方形波パルス信号は、マイコン４７のエッジ検出ポートに入力される。マイコン４７のカウンタで方形波パルス信号のエッジ間の時間を計測すれば脈波が得られる。この脈波センサ１６は、光量を周波数可変型のパルス信号に変換するので、ノイズに強い。
【００１５】
図４に、温度センサ１７と温度センサ信号増幅回路４６からなる温度検出回路４５の構成を示す。温度センサ１７には、サーミスタが用いられている。サーミスタは、指先Ｓ１の温度を１０〜４５℃の範囲で計測可能なものが選択されている。図４では、サーミスタは可変抵抗として図示されている。
温度センサ信号増幅回路４６は、温度センサ１７の抵抗値の変化を電圧信号に変換するために、所定電圧の入力端子とＧＮＤの間に温度センサ１７と抵抗Ｒ１を直列に接続し、接続点Ａの電位ＶＡを検出するように構成されている。さらに、電位ＶＡの信号のノイズを除去するために、ＣＲローパスフィルタ５３を接続すると共に、差動増幅回路５４を有する。差動増幅回路５４は、予め設定されたオフセット除去用電圧を基準としてマイコン４７に入力可能な電圧（例えば、５Ｖや３Ｖ）になるようにゲインが調整されている。
【００１６】
図５〜図８に示すように、装置本体２は樹脂材などで指先Ｓ１を載置可能な断面コの字状に形成されており、上面側（図５、図６おける上側）に形成された開口部６ａと基端側（図５における右側端）に形成された開口部６ｂとが互いに連通している。すなわち、これら開口部６ａ，６ｂに向かって指先Ｓ１を載置するようになっている。装置本体２の先端には、上面側にヒンジ部３を構成する第一ヒンジ部３ａが突設されている。装置本体２の内面には、アルミテープなどの非透過材７が貼付されている。この非透過材７は、装置本体２を通して外乱光が内部に入り込まないようにするためのものである。装置本体２の先端部分には、上面側の開口部６ａ寄りに凹部８が形成されている。この凹部６６は、女性などが爪の長い指を挿入したときの逃げ部となっており、爪が装置本体２の内面に突き当たってセンシング位置がずれないようにしている（図７参照）。
【００１７】
装置本体２内の底面は、指先Ｓ１の形状に合わせた曲面形状を有する指挿入部底面９になっている。指挿入部底面９は、被測定者Ｓが指先Ｓ１の腹部を押し付ける面である。指挿入部底面９には、短手方向（図６における左右方向）に３つの窓１０，１１，１２が設けられている。さらに、中央の窓１１を通って長手方向（図６における前後方向）には、窓１１を挟んで２つの孔１３，１４が設けられている。これら２つの孔１３，１４のうちの先端側（奥側）の孔１３には、温度センサ１７が指先Ｓ１の温度を測定可能に配置されている。一方、基端側（手前側）の孔１４には、ＧＮＤピン１８が指先Ｓ１に接触可能に挿入されている。ＧＮＤピン１８は、指が帯電することで生じる静電容量などの影響で後述する脈波センサ１６の信号にノイズが重畳されることを防ぐ。
【００１８】
中央の窓１１の下方（図７における下側）には脈波センサ１６が配置されていると共に、左右の２つの窓１０，１２にはＬＥＤ１５，１５が１つずつ配置されている（図８参照）。すなわち、装置本体２の中央の窓１１に指先Ｓ１の腹部を合わせて載置すれば、この窓１１に前後して配置された温度センサ１７とＧＮＤピン１８が指先Ｓ１に自然と接触し、温度測定と浮遊静電容量の除去とが確実に行える。この実施形態では、図６の破線で囲った窓１１、孔１３，１４を含む領域が指先Ｓ１を押さえ付けて脈波検出を行うセンシング位置Ｐｓになっている。
【００１９】
窓１０，１１，１２には、測定光は透過できるが水や異物は通過不能で、かつ指先Ｓ１が脈波センサ１６やＬＥＤ１５に直接触れないようにするシールド部材１９が嵌め込まれている。シールド部材１９としては、例えば、シリコーン樹脂からなるシートが用いられる。中央の窓１１の大きさは、ＬＥＤ１５の反射光のみを脈波センサ１６に入射させるのに最小限必要な大きさになっている。窓１１が大きすぎると、指と指挿入部底面９の隙間などから外乱光が入り込んで脈波センサ１６に入射してしまうからである。
【００２０】
また、図８に示すように、脈波センサ１６の中心線と、左側のＬＥＤ１５と右側のＬＥＤ１５の各中心までの距離は、それぞれ異なる距離Ｌｌ，Ｌｒに設定されている。このように、脈波センサ１６に対して２つのＬＥＤ１５，１５を非対称な配置にすることで、指の形状、太さが被測定者Ｓによって異なる場合でも何れかのシールド部材１９に密着又は測定可能に近接させることができる。
【００２１】
図５に示すように、蓋部４は、装置本体２の上面側の開口部６ａを閉塞するものであって、樹脂材で外方に向かって膨出するように形成されている。すなわち、脈波計測装置１は、蓋部４を閉じた状態で基端側に指先Ｓ１を挿入するための挿入口２０が形成されるようになっている。蓋部４の先端には、装置本体２の第一ヒンジ部３ａの両端に対応する部位にヒンジ部３を構成する第二ヒンジ部３ｂが突設されている。また、蓋部４の外表面には、ベルト５をガイドするための一対の凸条２１，２１が短手方向（左右方向）に渡るように形成されている。すなわち、凸条２１，２１の間隔Ｅ１は、ベルト５の幅Ｗ１よりもやや大きくなる程度に設定されている。
【００２２】
ここで、図５、図９に示すように、装置本体２の両側面には、ベルト５の一端を取り付けるための取り付け部２２，２２が形成されている。取り付け部２２は、長手方向（前後方向）に沿って延びる棒体２３と、棒体２３の両端に設けられ棒体２３を支持するための一対の支持部２４，２４とで構成されている。棒体２３の長さＬ１は、蓋部４の凸条２１，２１の間隔Ｅ１と同様にベルト５の幅Ｗ１よりもやや大きくなる程度に設定されている。すなわち、ベルト５の一端は２つの取り付け部２２，２２のうちの一方の取り付け部２２の棒体２３に巻き付くようにして取り付けられている。これにより、ベルト５は棒体２３を中心にして回動自在になっている。
【００２３】
また、装置本体２の両側であって上面側には、蓋部４の凸条２１，２１間に対応する部位に凹部２５，２５が形成されている。この凹部２５は、ベルト５のガイド部としての機能を有している。ここで、ベルト５の長さは、図９に詳示するように装置本体２と被測定者Ｓの指先Ｓ１に、蓋部４を開いた状態で１回巻き付け、その後、装置本体２と蓋部４にさらに１回巻き付け可能な長さに設定されている。つまり、ベルト５は、装置本体２と蓋部４とを２重巻きにして固定されている。
【００２４】
また、装置本体２の両側面に形成された２つの取り付け部２２，２２のうち、ベルト５が取り付けられていない他方の取り付け部２２は、ベルト５のガイド部として機能する。つまり、装置本体２と指先Ｓ１とを１回巻き付ける際、凹部２５，２５間に掛け渡されたベルト５は、他方の取り付け部２２の棒体２３と装置本体２との間の隙間Ｋを通り、その後装置本体２の底面を通って一方の取り付け部２２側へと引き出されている。そして、引き続き蓋部４の外表面へと配索されている。
【００２５】
このようにすることで、ベルト５の移動可能な方向を規制することができ、装置本体２の周囲に巻き付けられたベルト５がずれることなく、装置本体２と蓋部４の巻き付け固定が確実に行われる。なお、ベルト５の他端には係着部材としての綿ファスナーが設けられており、これによって、ベルト５の他端がベルト５の他の部位に固定されるようになっている。
【００２６】
次に、図９に基づいて、脈波計測装置１の指先Ｓ１への取り付け方法について説明する。
まず、脈波計測装置１の蓋部４を開いた状態で装置本体２の基端側に形成された開口部６ｂを手前に向け、装置本体２に指先Ｓ１を載置する。このとき、指先Ｓ１の腹部を指挿入部底面９側にして載置する。
【００２７】
次に、ベルト５を指先Ｓ１の上部を覆うようにして装置本体２の両側に形成された凹部２５，２５に掛け渡す。続いて、ベルト５の一端が取り付けられていない、他方の取り付け部２２の棒体２３と装置本体２との間の隙間にベルト５を通す。そして、装置本体２の底部を経由してベルト５の一端が取り付けられている一方の取り付け部２２側へベルト５を引き出す。このとき、指先Ｓ１の腹部が装置本体２のセンシング位置Ｐｓ（図６参照）をある程度の荷重で押さえつけることができるように、ベルト５を僅かに引っ張るようにして伸ばしながら指先Ｓ１のセンシング位置Ｐｓへの押し付け力を調整する。
【００２８】
次に、蓋部４を閉じてベルト５を僅かに引っ張りながら伸ばして蓋部４の外表面に配索する。このとき、蓋部４の外表面に形成されている１対の凸条２１，２１間にベルト５を配索するようにする。続いて、ベルト５の他端を下方に向かって引っ張る。このとき、指先Ｓ１の腹部が装置本体２のセンシング位置Ｐｓを所望の荷重で押さえつけることができるように引張力を調整する。そして、指先Ｓ１が十分にセンシング位置Ｐｓを押し付けている状態でベルト５の他端を固定する。
【００２９】
したがって、上述の実施形態によれば、被測定者Ｓの指先Ｓ１に脈波計測装置１を取り付ける際、装置本体２に指先Ｓ１を載置し、蓋部４を開いた状態でベルト５を１回巻き付け、さらに、蓋部４を閉じた状態で１回巻き付け、ベルト５を２重巻きにして脈波計測装置１を指先Ｓ１に固定している。このため、ベルト５を伸ばす長さに応じて細かい圧力調整が可能になる。よって、個体差に関わらず指先Ｓ１に適切な荷重をかけることができ、脈波の振幅測定を精度良く行うことができる。
【００３０】
より詳しく、図１０に基づいて説明する。同図は、縦軸を圧力とし、横軸を変位量とした場合のベルト５と、装置本体２の周囲を１回だけ囲繞可能な長さに設定されたベルト（以下、「短いベルト」という）との圧力調整の範囲を比較したグラフである。
同図に示すように、短いベルトを用いて脈波計測装置１を指先Ｓ１に固定する場合にあっては、１回の巻き付けで指先Ｓ１に適切な荷重をかけなければならないので、この実施形態のベルト５と比較して固いベルトを使用する必要がある。したがって、調整できるベルトの伸縮量（調整する長さ）が短くなり、ベルトによる指先Ｓ１にかかる荷重の調整が行い難い。
【００３１】
これに対し、この実施形態にあっては、ベルト５の長さを装置本体２の周囲を２重巻き可能な長さに設定されているので、２回にわたって指先Ｓ１にかかる荷重の調整を行うことができるばかりか、短いベルトよりも軟らかいベルトを使用することができる。このため、調整できるベルト５の伸縮量が長くなり、ベルト５による指先Ｓ１にかかる荷重の調整が行い易くなると共に、短いベルトよりも細かい圧力調整が可能になる。
【００３２】
また、上述の実施形態によれば、装置本体２に指先Ｓ１を挿入して蓋部４を開いた状態で装置本体２と指先Ｓ１をベルトで１回巻き付けている。つまり、指先Ｓ１を蓋部４を閉じる前にベルト５で覆っているので、外光の遮蔽を確実に行いつつ指先を固定することが可能になる。このため、外光が射し込むことによる測定精度の低下を防止し、脈波の振幅測定をより精度良く行うことができる。
さらに、装置本体２に蓋部４がヒンジ部３を介して開閉可能に設けられているので、脈波計測装置１の内部を、例えば、アルコールを含ませた布等で容易に消毒することができる。このため、脈波計測装置１のセンシング位置Ｐｓを容易に清潔に保つことができ、安定した測定結果を得ることが可能になる。
【００３３】
そして、ベルト５の一端が装置本体２の側面に取り付けられることで、ベルト５を引っ張りながら伸ばして巻き付けることが容易にできるので、指先Ｓ１への圧力調整がさらに簡単になる。
また、蓋部４が装置本体２の先端を中心にして開閉するため、つまり、蓋部４が指先側に向かって開くので、ベルト５を巻き付ける際、蓋部４が被測定者の邪魔になることがない。このため、簡単に脈波の振幅測定を行うことができる。
【００３４】
なお、本発明は上述の実施形態に限られるものではなく、本発明の趣旨を逸脱しない範囲において、上述の実施形態に種々の変更を加えたものを含む。
また、上述の実施形態では、装置本体２に指先Ｓ１を載置した状態でベルト５を１回巻き付け、さらに、蓋部４を閉じた状態でベルト５を１回巻き付けた場合について説明した。しかしながら、これに限られるものではなく、予めベルト５を装置本体２と蓋部４との間を通るように弛めに１回巻き付け、さらに蓋部４の外表面を通るように弛めに１回巻き付けておき、脈波計測装置１の挿入口２０（図５参照）から指先Ｓ１を挿入した後、ベルト５を引っ張るようにして固定してもよい。
【００３５】
さらに、上述の実施形態では、ベルト５の長さは、装置本体２と被測定者Ｓの指先Ｓ１に、蓋部４を開いた状態で１回巻き付け、その後、装置本体２と蓋部４にさらに１回巻き付け可能な長さに設定され、ベルト５が装置本体２と蓋部４とを２重巻きにして固定されている場合について説明した。しかしながら、これに限られるものではなく、ベルト５を装置本体２の周囲を３回以上巻装可能な長さに設定し、装置本体２と蓋部４とを３重巻き以上にして固定してもよい。
そして、上述の実施形態では、装置本体２に、例えば、被測定者Ｓの手のひらサイズに応じた握り部を設けてもよい。
【図面の簡単な説明】
【００３６】
【図１】本発明の実施形態における脈波計測装置の使用状態を示す斜視図である。
【図２】本発明の実施形態における脈波計測装置のブロック図である。
【図３】本発明の実施形態における脈波検出回路の構成を示す図である。
【図４】本発明の実施形態における温度検出回路の構成を示す図である。
【図５】本発明の実施形態における脈波計測装置の蓋部が閉じた状態を示す斜視図である。
【図６】本発明の第三実施形態における脈波計測装置の蓋部が開いた状態を示す斜視図である。
【図７】図５のＡ−Ａ線に沿う断面図である。
【図８】図７のＢ−Ｂ線に沿う断面図である。
【図９】図５のＣ−Ｃ線に沿う断面図である。
【図１０】本発明の実施形態におけるベルトと短いベルトの圧力調整の範囲を比較したグラフである。
【符号の説明】
【００３７】
１  脈波計測装置
２  装置本体
３  ヒンジ部
３ａ  第一ヒンジ部
３ｂ  第二ヒンジ部
４  蓋部
５  ベルト
１５  ＬＥＤ（発光素子）
１６  脈波センサ（受光素子）
２０  挿入口
２２  取り付け部
２３  棒体
２４  支持部
６０  指挿入部
Ｓ  被測定者
Ｓ１  指先
【図１】
2009131483.tif 000003
【図２】
2009131483.tif 000004
【図３】
2009131483.tif 000005
【図４】
2009131483.tif 000006
【図５】
2009131483.tif 000007
【図６】
2009131483.tif 000008
【図７】
2009131483.tif 000009
【図８】
2009131483.tif 000010
【図９】
2009131483.tif 000011
【図１０】
2009131483.tif 000012